(57)【要約】【課題】本発明は、ペット用車載拘束装置に係り、車両座席へのペットの拘束性能を向上させることにある。【解決手段】ペット用車載拘束装置は、保持ベースと、保持ベースに取り付けられると共に、車両座席に設けられる車両側固定部材に着脱可能に固定される第１の連結部材と、一端側が保持ベースに保持されるウェビングと、ウェビングの他端に取り付けられると共に、ペットの身体に装着される拘束具に取り付けられる取付器具が着脱可能に固定される第２の連結部材と、を備え、第１の連結部材が車両側固定部材に固定されかつ第２の連結部材に取付器具が固定されることにより、拘束具が装着されたペットを車両座席に拘束する。【選択図】図２
2014113851.tif 000002
【特許請求の範囲】
【請求項１】
保持ベースと、
前記保持ベースに取り付けられると共に、車両座席に設けられる車両側固定部材に着脱可能に固定される第１の連結部材と、
一端側が前記保持ベースに保持されるウェビングと、
前記ウェビングの他端に取り付けられると共に、ペットの身体に装着される拘束具に取り付けられる取付器具が着脱可能に固定される第２の連結部材と、を備え、
前記第１の連結部材が前記車両側固定部材に固定されかつ前記第２の連結部材に前記取付器具が固定されることにより、前記拘束具が装着されたペットを車両座席に拘束することを特徴とするペット用車載拘束装置。
【請求項２】
前記第１の連結部材は、車両座席の座席左右方向に離間して配置される２つの前記車両側固定部材に対応して前記保持ベースに２つ設けられていることを特徴とする請求項１記載のペット用車載拘束装置。
【請求項３】
前記ウェビングを巻き取る引込機構と、該ウェビングの所定以上の引き出しをロックするロック機構と、を有するリトラクタを備えることを特徴とする請求項１又は２記載のペット用車載拘束装置。
【請求項４】
前記引込機構による前記ウェビングの巻き取りを制限する位置を可変するウェビングクランプ機構を備えることを特徴とする請求項３記載のペット用車載拘束装置。
【請求項５】
前記第１の連結部材を前記車両側固定部材に取り付け固定すると共に、該取り付け固定を解除する第１の着脱機構を備えることを特徴とする請求項１乃至４の何れか一項記載のペット用車載拘束装置。
【請求項６】
前記第２の連結部材を前記取付器具に取り付け固定すると共に、該取り付け固定を解除する第２の着脱機構を備えることを特徴とする請求項１乃至５の何れか一項記載のペット用車載拘束装置。
【請求項７】
前記拘束具は、胴輪又は首輪であることを特徴とする請求項１乃至６の何れか一項記載のペット用車載拘束装置。
【発明の詳細な説明】
【技術分野】
【０００１】
本発明は、ペット用車載拘束装置に係り、特に、車両座席にペットを拘束するうえで好適なペット用車載拘束装置に関する。
【背景技術】
【０００２】
従来、ペットを車両座席に拘束するペット用車載拘束装置が知られている（例えば、特許文献１参照）。この拘束装置は、ペットの身体に装着される拘束具と、その拘束具に取付器具を介して一端が取り付けられる連結ロープ又はウェビングと、を備えている。連結ロープ又はウェビングの他端側には、車両座席に設けられるシートアンカに着脱可能なシートバックル形状に形成されたタングが取り付けられている。連結ロープ又はウェビングは、タングが車両座席のシートアンカに装着されることによりその他端が車両側に固定されたものとなる。従って、かかる拘束装置によれば、一端に拘束具が取り付けられた連結ロープやウェビングの他端を車両座席のシートアンカに固定することにより、拘束具が装着されたペットを車両座席に拘束することができる。
【先行技術文献】
【特許文献】
【０００３】
【特許文献１】特開平８−２０３０７号公報
【発明の概要】
【発明が解決しようとする課題】
【０００４】
ところで、上記した拘束装置では、連結ロープやウェビングが固定される車両座席のシートアンカが、ベルトを介して車両座席に固定されたものであって、通常は人を拘束するシートベルトのバックルを固定するのに用いられるものである。この点、かかる拘束装置では、シートアンカが車両座席に対して所定範囲で自由に移動することができるため、拘束したペットの移動の自由度が高く、車両の急減速時や衝突時などにおいてペットを車両座席に拘束するうえでの安定性・確実性が損われてその拘束性能に欠けるという問題がある。
【０００５】
本発明は、上述の点に鑑みてなされたものであり、車両座席へのペットの拘束性能を向上させることが可能なペット用車載拘束装置を提供することを目的とする。
【課題を解決するための手段】
【０００６】
上記の目的は、保持ベースと、前記保持ベースに取り付けられると共に、車両座席に設けられる車両側固定部材に着脱可能に固定される第１の連結部材と、一端側が前記保持ベースに保持されるウェビングと、前記ウェビングの他端に取り付けられると共に、ペットの身体に装着される拘束具に取り付けられる取付器具が着脱可能に固定される第２の連結部材と、を備え、前記第１の連結部材が前記車両側固定部材に固定されかつ前記第２の連結部材に前記取付器具が固定されることにより、前記拘束具が装着されたペットを車両座席に拘束するペット用車載拘束装置により達成される。
【発明の効果】
【０００７】
本発明によれば、車両座席へのペットの拘束性能を向上させることができる。
【図面の簡単な説明】
【０００８】
【図１】本発明の一実施例であるペット用車載拘束装置を用いてペットを拘束した状態を表した図である。
【図２】本実施例のペット用車載拘束装置の斜視図である。
【図３】本実施例のペット用車載拘束装置により拘束されるペットの身体に装着される拘束具の斜視図である。
【図４】本実施例のペット用車載拘束装置が、車両シートに設けられた固定部材に取り付けられる前の状態（同図（Ａ））と後の状態（同図（Ｂ））とをそれぞれ表した図である。
【図５】ペットに対して用いられるリール付きリードの斜視図である。
【図６】本発明の変形例であるペット用車載拘束装置の第２の連結部材に連結される、ペットに装着される拘束具に設けられる取付器具、及び、その第２の連結部材のそれぞれの一例の斜視図である。
【図７】本発明の変形例であるペット用車載拘束装置の要部斜視図である。
【図８】本発明の変形例であるペット用車載拘束装置の備える第１の連結部材の側面図である。
【発明を実施するための形態】
【０００９】
以下、図面を用いて、本発明に係るペット用車載拘束装置の具体的な実施の形態について説明する。
【００１０】
図１は、本発明の一実施例であるペット用車載拘束装置１０を用いてペットを拘束した状態を表した図を示す。図２は、本実施例のペット用車載拘束装置１０の斜視図を示す。図３は、本実施例のペット用車載拘束装置１０により拘束されるペットの身体に装着される拘束具の斜視図を示す。図４は、本実施例のペット用車載拘束装置１０が、車両シートに設けられた固定部材に取り付けられる前の状態（同図（Ａ））と後の状態（同図（Ｂ））とをそれぞれ表した図を示す。
【００１１】
本実施例のペット用車載拘束装置１０は、車両に搭載され、犬や猫などのバッグ等に収納することが困難である中型・大型のペットを車両に乗せる場合にそのペットが車内を自由に動き回るのを防止するためにそのペットを拘束する装置である。ペット用車載拘束装置１０が搭載される車両は、後部座席などの車両シート１２に固定される固定部材１４を備えている。
【００１２】
固定部材１４は、車両シート１２の座面上にチャイルドシートなどを固定保持するためにその車両シート１２の座部１２ａと背部１２ｂとの境界又はその境界近傍に設けられており、車両シート１２の本体に取り付けられている。固定部材１４は、いわゆるＩＳＯ−ＦＩＸ方式に対応した固定構造を有している。固定部材１４は、車両シート１２の座席左右方向（車幅方向）に所定長さ（例えば３ｃｍ〜５ｃｍ程度）だけ延びる丸棒状のバー構造を有する部材であって、例えば断面コの字状の金属製（例えば、鉄製）部材からなる。以下、固定部材１４をＩＳＯ−ＦＩＸバー１４と称す。
【００１３】
ＩＳＯ−ＦＩＸバー１４は、車両シート１２の座席両端部それぞれに設けられており、車両シート１２ごとに２つずつ設けられている。以下適宜、２つのＩＳＯ−ＦＩＸバー１４をＩＳＯ−ＦＩＸバー１４ａ，１４ｂとする。各車両シート１２のＩＳＯ−ＦＩＸバー１４ａと１４ｂとは、互いに車両シート１２の座席左右方向に所定距離だけ離間して配置されている。尚、チャイルドシートが車両シート１２に固定される際は、強度保持のため、座席左右の２つのＩＳＯ−ＦＩＸバー１４ａ，１４ｂが共に用いられる。
【００１４】
ペット用車載拘束装置１０は、ベース部２０を備えている。ベース部２０は、ペット用車載拘束装置１０が車両シート１２の座面に設置された際に座席左右方向に広がりを有するような立方体形状に形成された空洞のケースである。ベース部２０は、例えば、図２に示す如く、底側の断面積が比較的大きく上部ほど断面積が小さくなるように、また、ペット用車載拘束装置１０が車両シート１２の座面に設置された際に座席前後方向（車両前後方向）にあまり大きくならない厚さを有するように形成されている。尚、ベース部２０は、車両シート１２の座部１２ａの全面を覆う大きさに設定される必要はなく、その座部１２ａの一部だけを占めるものであれば十分である。
【００１５】
ベース部２０には、座席左右方向の両端それぞれにおいて座席前後方向に直線状に延びる棒状部２２ａ，２２ｂが取り付けられている。棒状部２２ａと棒状部２２ｂとは、ベース部２０上で互いに座席左右方向において所定距離だけ離間して配置されている。この棒状部２２ａと棒状部２２ｂとが離間する所定距離は、車両シート１２に設けられたＩＳＯ−ＦＩＸバー１４ａとＩＳＯ−ＦＩＸバー１４ｂとの離間距離に略等しい距離に設定されている。
【００１６】
各棒状部２２ａ，２２ｂの先端（具体的には、ペット用車載拘束装置１０が設置される車両シート１２を基準とすれば、その車両シート１２の背部１２ｂ側の先端、すなわち、シート後端側）には、上記したＩＳＯ−ＦＩＸバー１４に着脱可能に固定される連結部２４が一つずつ設けられている。以下、連結部２４をＩＳＯバー連結部２４と称し、また、適宜、各棒状部２２ａ，２２ｂに対応するＩＳＯバー連結部２４をＩＳＯバー連結部２４ａ，２４ｂとする。ＩＳＯバー連結部２４ａとＩＳＯバー連結部２４ｂとは、互いに座席左右方向においてＩＳＯ−ＦＩＸバー１４ａ，１４ｂ同士が離間する離間距離に略等しい所定距離だけ離間している。
【００１７】
ＩＳＯバー連結部２４は、バー構造を有するＩＳＯ−ＦＩＸバー１４の丸棒部を収容可能な開口部２６と、その開口部２６にＩＳＯ−ＦＩＸバー１４を収容しつつその開口部２６の入口側を閉じることが可能な金属製の爪部２８と、を有している。棒状部２２には、ＩＳＯバー連結部２４の爪部２８を開閉移動させる機構３０が設けられている。機構３０は、ＩＳＯバー連結部２４の爪部２８を、開口部２６に収容されたＩＳＯ−ＦＩＸバー１４の押圧力（具体的には、その爪部２８がＩＳＯ−ＦＩＸバー１４から座席前方方向に受ける力）によりその開口部２６の入口側を閉じるように移動させることが可能である。
【００１８】
ＩＳＯバー連結部２４は、その開口部２６にＩＳＯ−ＦＩＸバー１４を収容しつつその爪部２８が開口部２６の入口側を閉じることによりＩＳＯ−ＦＩＸバー１４と連結される（図４（Ｂ））。両ＩＳＯバー連結部２４ａ，２４ｂがＩＳＯ−ＦＩＸバー１４ａ，１４ｂに連結されると、ペット用車載拘束装置１０全体が車両シート１２側（具体的には、ＩＳＯ−ＦＩＸバー１４ａ，１４ｂ）に取り付け固定される。
【００１９】
上記の機構３０は、上記の如くＩＳＯバー連結部２４をＩＳＯ−ＦＩＸバー１４に連結させることが可能な機構であると共に、ＩＳＯ−ＦＩＸバー１４に連結されたＩＳＯバー連結部２４をＩＳＯ−ＦＩＸバー１４から取り外すことが可能な機構である。機構３０は、棒状部２２ａ，２２ｂそれぞれに対応して設けられている。以下、機構３０をシート側着脱機構３０と称し、また、適宜、両シート側着脱機構３０をシート側着脱機構３０ａ，３０ｂとする。
【００２０】
シート側着脱機構３０は、爪部２８に機械的に連通する解除レバー３２を有している。解除レバー３２は、人による操作が可能な操作レバーであって、棒状部２２の例えば上面側や側面側に設けられている。シート側着脱機構３０ａ，３０ｂは、それぞれ互いに独立して、解除レバー３２を押し込み又は引っ張る解除操作が行われることによりＩＳＯバー連結部２４ａ，２４ｂの爪部２８による開口部２６の入口側の閉じを解除させてその入口側を開放させる。ペット用車載拘束装置１０が車両シート１２側に取り付け固定された状態で解除レバー３２が上記の如く解除操作されると、シート側着脱機構３０により爪部２８が開口部２６の入口側を開放させるように移動することで、ＩＳＯバー連結部２４とＩＳＯ−ＦＩＸバー１４との連結が解除されて（図４（Ａ））、ペット用車載拘束装置１０が車両シート１２側から取り外される。
【００２１】
ペット用車載拘束装置１０は、また、一端側がベース部２０に保持される主に布製のウェビング４０を備えている。ウェビング４０は、ベース部２０に対して引き出されることが可能であると共にまた引き込まれることが可能である帯状のベルト部材であって、緊急時に衝突荷重を受けて衝突軽減を図るものである。ウェビング４０の一端は、ベース部２０の内部空間に収容されてベース部２０に取り付けられたリトラクタ４２に固定されている。リトラクタ４２は、ウェビング４０を一端側で巻き取る引込機構を有する装置である。
【００２２】
ベース部２０の上面には、開口穴４４が設けられている。開口穴４４は、ウェビング４０の断面形状よりも大きな面積を有するように略長方形状に開いており、ウェビング４０の幅よりも僅かに大きな座席左右方向の幅を有するように形成されている。開口穴４４は、ベース部２０の上面において座席左右方向の略中央に形成されている。ウェビング４０は、ベース部２０の内部空間から開口穴４４を通じてベース部２０の外部に引き出されている。
【００２３】
リトラクタ４２は、また、ロック機構（図示せず）を有している。リトラクタ４２のロック機構は、ウェビング４０の他端側の緩やかな引き出し（具体的には、所定速度未満又は所定加速度未満の引き出し）を許容する一方、緊急時などにおいてウェビング４０の他端側の急激な引き出し（具体的には、所定速度以上又は所定加速度以上の引き出し）をロックするものであって、ウェビング４０の他端側が座席前方（すなわち、車両前方）へ飛び出すのを制限する機構である。
【００２４】
ウェビング４０の他端には、バックル４６が取り付けられている。バックル４６は、ペット用車載拘束装置１０にペットを繋げるための挿入口の開いた連結部材である。バックル４６には、対象のペットの身体に装着される拘束具４８に取り付けられる取付器具５０が着脱可能に固定される。拘束具４８は、対象のペットの身体を確実に拘束できるハーネスであればよく、例えば服などの胴輪や首輪などである。また、取付器具５０は、バックル４６に対応した形状や大きさなどを有するタング（Ｔ字型の金具）などである。
【００２５】
バックル４６には、拘束具４８の取付器具５０を着脱する機構５２が設けられている。機構５２は、バックル４６に取付器具５０が装着された際にその取付器具５０をそのバックル４６に固定することが可能な機構であると共に、バックル４６に固定された取付器具５０をバックル４６から取り外すことが可能な機構である。以下、機構５２をペット側着脱機構５２と称す。
【００２６】
ペット側着脱機構５２は、解除レバー５４を有している。解除レバー５４は、人による操作が可能な操作レバーであって、バックル４６の表面に設けられている。ペット側着脱機構５２は、解除レバー５４を押し込み又は引っ張る解除操作が行われることによりバックル４６に固定された取付器具５０をバックル４６から取り外す。かかる取り外しが行われると、ペット用車載拘束装置１０のバックル４６と拘束具４８の取付器具５０との固定が解除されて、拘束具４８の装着されたペットがペット用車載拘束装置１０による拘束から開放される。
【００２７】
尚、拘束具４８及び取付器具５０は、通常は当該ペットを散歩させるときなどに使用されるものであってもよく、例えば図５に示す如き伸縮性能を有するリール付きリード６０の先端に設けられたバックル６２に対応したものであってもよい。また、拘束具４８側の取付器具５０は、Ｔ字型金具であるタング以外に、例えば一般的に使用される図６（Ａ）に示す如き金属フック６４などであってもよい。この場合、ペット用車載拘束装置１０は、ウェビング４０の他端に、バック４６に代えて、金属フック６４と連結すると共にその連結を解除することが可能な図６（Ｂ）に示す如き連結部材６６を取り付けることとしてもよい。
【００２８】
以下、本実施例において、対象のペットをペット用車載拘束装置１０に拘束する手法及びその拘束を解消させる手法を説明する。
【００２９】
本実施例においては、対象のペットをペット用車載拘束装置１０に拘束するうえで、まず、ペット用車載拘束装置１０のベース部２０を車両シート１２の座部１２ａの座面上に載置する。この際、ベース部２０を、そのベース部２０に取り付けられている両棒状部２２ａ，２２ｂのＩＳＯバー連結部２４ａ，２４ｂの開口部２６がそれぞれ車両シート１２のＩＳＯ−ＦＩＸバー１４ａ，１４ｂの丸棒部に座面上で座席前後方向に対向するように載置する。
【００３０】
そして、そのベース部２０全体を車両シート１２の座席後方に向けて押圧するように移動させて、両棒状部２２ａ，２２ｂのＩＳＯバー連結部２４ａ，２４ｂの開口部２６に車両シート１２のＩＳＯ−ＦＩＸバー１４ａ，１４ｂの丸棒部を収容させると共に、その収容したＩＳＯ−ＦＩＸバー１４ａ，１４ｂでそのＩＳＯバー連結部２４ａ，２４ｂの爪部２８を押し込み、開口部２６の入口側を閉じるようにその爪部２８を移動させる。かかる状態が実現されると、ベース部２０の両棒状部２２ａ，２２ｂのＩＳＯバー連結部２４ａ，２４ｂが車両シート１２のＩＳＯ−ＦＩＸバー１４ａ，１４ｂに連結されることで、ペット用車載拘束装置１０全体が車両シート１２のＩＳＯ−ＦＩＸバー１４ａ，１４ｂに取り付け固定される。
【００３１】
上記の如くペット用車載拘束装置１０を車両シート１２に取り付け固定すると、次に、拘束具４８が装着されたペットを車両シート１２の座面１２ａ上に置いたうえで、そのペットに装着されている拘束具４８の取付器具５０を、ペット用車載拘束装置１０のウェビング４０の他端に取り付けられているバックル４６に連結する。かかる状態が実現されると、ペットに装着されている拘束具４８がペット用車載拘束装置１０に取り付け固定されることで、そのペットがペット用車載拘束装置１０に拘束される。
【００３２】
従って、本実施例のペット用車載拘束装置１０によれば、ベース部２０の両棒状部２２ａ，２２ｂのＩＳＯバー連結部２４ａ，２４ｂを車両シート１２のＩＳＯ−ＦＩＸバー１４ａ，１４ｂに連結し、かつ、ウェビング４０の他端にあるバックル４６に、ペットに装着される拘束具４８の取付器具５０を連結することで、ペット用車載拘束装置１０を利用してペットを車両シート１２の座面上に拘束することができる。
【００３３】
このように、本実施例においては、ペット用車載拘束装置１０を車両シート１２に取り付け固定するのに、ベース部２０の両棒状部２２ａ，２２ｂのＩＳＯバー連結部２４ａ，２４ｂと車両シート１２のＩＳＯ−ＦＩＸバー１４ａ，１４ｂとを位置合わせし、そのうえで、そのベース部２０を車両シート１２の座席後方へスライドさせるだけで十分である。また、ペット用車載拘束装置１０にペットを拘束するのに、ペット用車載拘束装置１０のウェビング４０の他端に取り付けられたバックル４６にペットに装着される拘束具４８の取付器具５０を連結固定するだけで十分である。
【００３４】
このため、本実施例によれば、ペットを車両シート１２上に拘束させるのに、例えばベース部２０の座席左右それぞれのＩＳＯバー連結部２４ａ，２４ｂを別々に車両シート１２のＩＳＯ−ＦＩＸバー１４ａ，１４ｂに連結させることなどは不要であるので、車両シート１２上へのペットの拘束を簡易な操作で確実に実現させることが可能であり、その拘束操作の容易化を図ることが可能である。
【００３５】
また、本実施例においては、拘束具４８がペット用車載拘束装置１０に取り付け固定された後、その取付固定の解除を希望する際は、ペット用車載拘束装置１０のバックル４６に設けられた解除レバー５４の解除操作を行う。解除レバー５４の解除操作が行われると、ペット側着脱機構５２により、バックル４６に固定された拘束具４８の取付器具５０がバックル４６から取り外される。この場合は、ペット用車載拘束装置１０のバックル４６と拘束具４８の取付器具５０との固定が解除されることで、拘束具４８の装着されたペットがペット用車載拘束装置１０による拘束から開放される。
【００３６】
更に、ベース部２０の両棒状部２２ａ，２２ｂのＩＳＯバー連結部２４ａ，２４ｂが車両シート１２のＩＳＯ−ＦＩＸバー１４ａ，１４ｂに連結された後、その連結の解除を希望する際は、ペット用車載拘束装置１０の棒状部２２ａ，２２ｂに設けられた解除レバー３２の解除操作を行う。解除レバー３２の解除操作が行われると、シート側着脱機構３０によりＩＳＯバー連結部２４ａ，２４ｂの爪部２８が開口部２６の入口側を開放させるように移動することで、ＩＳＯバー連結部２４と車両シート１２側のＩＳＯ−ＦＩＸバー１４との連結が解除されて、ペット用車載拘束装置１０が車両シート１２側から取り外される。
【００３７】
従って、本実施例のペット用車載拘束装置１０によれば、ペット側着脱機構５２によりバックル４６と拘束具４８の取付器具５０との連結を解除し、或いは、シート側着脱機構３０ａ，３０ｂによりベース部２０の両棒状部２２ａ，２２ｂのＩＳＯバー連結部２４ａ，２４ｂと車両シート１２のＩＳＯ−ＦＩＸバー１４ａ，１４ｂとの連結を解除することで、車両シート１２の座面上へのペットの拘束を解除することができる。
【００３８】
このように、本実施例においては、ペットに装着される拘束具４８とペット用車載拘束装置１０のバックル４６との連結を解除するのに、すなわち、ペット用車載拘束装置１０へのペットの拘束を解除するのに、ペット側着脱機構５２の解除レバー５４を解除操作するだけで十分である。また、車両シート１２のＩＳＯ−ＦＩＸバー１４ａ，１４ｂへのペット用車載拘束装置１０の取り付け固定を解除するのに、ベース部２０の両シート側着脱機構３０ａ，３０ｂの解除レバー３２をそれぞれ解除操作するだけで十分である。
【００３９】
このため、本実施例によれば、車両シート１２へのペット用車載拘束装置１０の取り付け固定を解除するのに、ベース部２０の両シート側着脱機構３０ａ，３０ｂの解除レバー３２をそれぞれ解除操作する必要はあるが、かかる車両シート１２へのペット用車載拘束装置１０の取り付け固定の解除を、そのペット用車載拘束装置１０からペット側の拘束具４８を取り外した後に行うことが可能である。ペット用車載拘束装置１０にペット側の拘束具４８が取り付け固定されていなければ、操作者は、車両シート１２へのペット用車載拘束装置１０の取り付け固定の解除操作を容易に行うことが可能である。この点、本実施例によれば、車両シート１２へのペット用車載拘束装置１０の取り付け固定の解除を簡易な操作でかつ容易に行うことが可能であり、車両シート１２へのペット用車載拘束装置１０の取り付け固定の解除操作の容易化を図ることが可能である。
【００４０】
また、本実施例においては、車両シート１２へのペット用車載拘束装置１０の取り付け固定を、車両シート１２の座席左右両端部それぞれに設けられた２つのＩＳＯ−ＦＩＸバー１４ａ，１４ｂとベース部２０の座席左右両端それぞれに取り付けられた２つのＩＳＯ連結部２４ａ，２４ｂとが連結されることで実現することができる。この点、ペット用車載拘束装置１０が車両シート１２に取り付け固定された後に車両に急制動や衝突時などで座席前後方向に向かう力が作用しても、その力を強度保持部材であるＩＳＯ−ＦＩＸバー１４ａ，１４ｂで受けつつ、両ＩＳＯ−ＦＩＸバー１４ａ，１４ｂで座席左右で略均一に受けることができる。従って、本実施例によれば、車両シート１２へのペット用車載拘束装置１０の強度保持を確保することができると共に、その強度保持を安定性を損なうことなく確実に行うことが可能である。
【００４１】
また、本実施例においては、ペット（具体的には、対象のペットの身体を確実に拘束できるハーネスなどの拘束具４８）とベース部２０とを繋ぐウェビング４０が、ベース部２０上面の座席左右方向の略中央に開いた開口穴４４から引き出されており、ベース部２０内のリトラクタ４２によりベース部２０に対して伸縮可能である一方、ウェビング４０の他端側への急激な引き出しがロックされるものである。
【００４２】
この点、通常は、ウェビング４０に巻き取る力を付与することで開口穴４４からウェビング４０を引き出すのに比較的大きな力を要する一方、車両に急制動や衝突などで座席前後方向に向かう力が作用した際には、開口穴４４からのウェビング４０の引き出しをロックすることができる。従って、本実施例のペット用車載拘束装置１０によれば、拘束したペットの移動の自由度をある程度制限しつつ、車両の急減速時や衝突時などにおいてペットを車両座席に拘束するうえでの安定性・確実性を確保することができるので、車両シート１２へのペットの拘束性能を向上させることが可能である。
【００４３】
尚、上記の実施例においては、ベース部２０が特許請求の範囲に記載した「保持ベース」に、車両シート１２が特許請求の範囲に記載した「車両座席」に、ＩＳＯ−ＦＩＸバー１４が特許請求の範囲に記載した「車両側固定部材」に、ＩＳＯバー連結部２４が特許請求の範囲に記載した「第１の連結部材」に、バックル４６が特許請求の範囲に記載した「第２の連結部材」に、シート側着脱機構３０ａ，３０ｂが特許請求の範囲に記載した「第１の着脱機構」に、ペット側着脱機構５２が特許請求の範囲に記載した「第２の着脱機構」に、それぞれ相当している。
【００４４】
ところで、上記の実施例においては、ウェビング４０をベース部２０の内部空間から開口穴４４を通じてベース部２０の外部に引き出すこととしているが、更に、図７に示す如く、開口穴４４からのウェビング４０の引き出し量（具体的には、最小の引き出し長さ）を可変する、すなわち、リトラクタ４２によるウェビング４０の巻き込みを制限する位置を可変するクランプ７０を設けることとしてもよい。例えば、クランプ７０をウェビング４０の任意の位置に取り付け、そのクランプ７０が開口穴４４の出口側に到達した時点でウェビング４０の巻き取りを制限することで、開口穴４４からのウェビング４０の引き出し量を予め特定する。尚、クランプ７０のウェビング４０への取り付け位置は、拘束する対象のペットの大きさ・体格に応じて決定されることとすればよい。
【００４５】
かかる変形例によれば、拘束する対象のペットに応じて、開口穴４４からのウェビング４０の引き出し量、すなわち、リトラクタ４２によるウェビング４０の巻き込みを制限する位置を可変できるので、ペットの大きさや体格に関わらず適切な拘束を実現することが可能となる。尚、この変形例においては、クランプ７０が特許請求の範囲に記載した「ウェビングクランプ機構」に相当する。
【００４６】
また、上記の実施例においては、ペット用車載拘束装置１０のベース部２０の座席左右両端に棒状部２２ａ，２２ｂを取り付けることとしているが、これらの棒状部２２ａ，２２ｂを長手方向すなわち座席前後方向にベース部２０の本体に対して相対移動可能に取り付けることとしてもよい。すなわち、ベース部２０の本体と棒状部２２ａ，２２ｂに設けられたＩＳＯバー連結部２４ａ，２４ｂとの座席前後方向における相対位置関係を可変することとしてもよい。
【００４７】
かかる相対位置関係を可変する機構としては、例えば図８に示す如く、棒状部２２の、ベース部２０に面する側（例えば側面）に所定間隔をおいて開いた複数のピン穴８０を設けると共に、ベース部２０に固定されてベース部２０から延びるピン８２を棒状部２２の複数のピン穴８０のうちの何れかに挿入して、ベース部２０と棒状部２２のＩＳＯバー連結部２４との座席前後方向における相対位置関係を可変するようにしてもよい。
【００４８】
かかる変形例の構成によれば、ペット用車載拘束装置１０の棒状部２２を座席前後方向にベース部２０に対して相対移動させて、ベース部２０と棒状部２２のＩＳＯバー連結部２４との座席前後方向における相対位置関係を可変することができるため、例えば車両シート１２におけるＩＳＯ−ＦＩＸバー１４の位置が車種や車両シート１２自体の形状などによって可変するときにも、その位置可変に対応させてペット用車載拘束装置１０を車両シート１２の座面上に適切に載置することが可能となる。
【００４９】
尚、図８に示す如き構成では、棒状部２２に複数のピン穴８０を設けかつベース部２０にピン８２を設けることとしているが、逆に棒状部２２にピンを設けかつベース部２０に複数のピン穴を設けることとしてもよい。また、相対位置可変機構は、図８に示す如き構成に限定されるものではなく、他の構成により実現されることとしてもよい。
【００５０】
また、上記の実施例においては、ベース部２０の両棒状部２２ａ，２２ｂそれぞれにシート側着脱機構３０ａ，３０ｂを設けたうえで、棒状部２２ａのＩＳＯバー連結部２４ａと車両シート１２のＩＳＯ−ＦＩＸバー１４ａとの連結、及び、棒状部２２ｂのＩＳＯバー連結部２４ｂと車両シート１２のＩＳＯ−ＦＩＸバー１４ｂとの連結をそれぞれ独立して解除させることとしているが、本発明はこれに限定されるものではなく、ベース部２０に単一のシート側解除機構を設けたうえで、両ＩＳＯバー連結部２４ａ，２４ｂと両ＩＳＯ−ＦＩＸバー１４ａ，１４ｂとの連結を一操作で同時に解除させることとしてもよい。
【００５１】
また、上記の実施例においては、ペット用車載拘束装置１０側にバックル４６を取り付け、拘束具４８に取付器具５０を取り付けることとしているが、逆に、ペット用車載拘束装置１０側に取付器具５０と同構造の取付器具を取り付け、拘束具４８にバックル４６と同構造のバックルを取り付けることとしてもよい。
【００５２】
更に、上記の実施例においては、シート側着脱機構３０の解除レバー３２を爪部２８に機械的に連通するものとしているが、ベース部２０に電池などを内蔵して、解除レバー３２の操作によって電気的に爪部２８を駆動させて移動させるものとしてもよい。
【符号の説明】
【００５３】
１０  ペット用車載拘束装置
１２  車両シート
１４  固定部材（ＩＳＯ−ＦＩＸバー）
２０  ベース部
２２  棒状部
２４  連結部（ＩＳＯバー連結部）
３０  シート側着脱機構
３２，５４  解除レバー
４０  ウェビング
４２  リトラクタ
４６  バックル
４８  拘束具
５０  取付器具
５２  ペット側着脱機構
【図１】
2014113851.tif 000003
【図２】
2014113851.tif 000004
【図３】
2014113851.tif 000005
【図４】
2014113851.tif 000006
【図５】
2014113851.tif 000007
【図６】
2014113851.tif 000008
【図７】
2014113851.tif 000009
【図８】
2014113851.tif 000010